(57)【要約】【課題】本発明は、例えば、主にドア錠として用いられるサムターン錠に関し、防犯性を高めた壊し、工具や手等を差し込んでサムターンを操作し、容易に解錠するという不正な解錠操作を防止することが課題である。【解決手段】室内側でサムターンを操作してデッドボルトをドア側端面から出没させ施錠・解錠するためのサムターン錠において、円筒状の前記サムターンの内周壁面と、シリンダー錠の外筒の外周壁面との間に、前記サムターン錠の軸心廻りに回転自在な円筒状のインジケータ１０が設けられ、該インジケータの前端面が外部に露出しているとともに、該前端面の一部に当該インジケータの回転を視認可能にする表示手段１０ａが設けられているサムターン錠１である。【選択図】　　図１０
2004132012.tif 000002
【特許請求の範囲】
【請求項１】
室内側でサムターンを操作してデッドボルトをドア側端面から出没させ施錠・解錠するためのサムターン錠において、
円筒状の前記サムターンの内周壁面と、シリンダー錠の外筒の外周壁面との間に、前記サムターン錠の軸心廻りに回転自在な円筒状のインジケータが設けられ、該インジケータの前端面が外部に露出しているとともに、該前端面の一部に当該インジケータの回転を視認可能にする表示手段が設けられていること、
を特徴とするサムターン錠。
【請求項２】
表示手段が、周方向に１以上配置された切欠部であること、
を特徴とする請求項１に記載のサムターン錠。
【請求項３】
インジケータは、外筒の外周壁面と前記インジケータの内周壁面との間に配設されてサムターンクラッチにより周方向に回動されるクラッチボールと、前記インジケータの内周壁面に設けられて前記クラッチボールの一部に嵌合する凹部とにより、周方向に回動されること、
を特徴とする請求項１または２に記載のサムターン錠。
【発明の詳細な説明】
【０００１】
【発明の属する技術分野】
本発明は、例えば、主にドア錠として用いられるサムターン錠に係り、詳しくは、ドア近辺の窓ガラスを破壊し、工具や手等を差し込んでサムターンを操作し、容易に解錠するという不正な解錠操作を防止するサムターン錠に関する。
【０００２】
【従来の技術】
従来において、サムターン錠は、室内側からは例えばレバー式のサムターンを回動させるのみでデッドボルトをドア側端面から出没させて、施錠・解錠させるものが知られている。
【０００３】
前記サムターンにより容易に解錠等できることから、ドアに窓ガラスがあったり、ドア近辺に窓ガラスあったりすると、その窓ガラスを破って手等を差込み、サムターンを操作して外部から侵入されるおそれがある。よって、サムターン錠の防犯性を高めるために、サムターンと別個の錠前を装備して、施錠したデッドボルトを解錠できないように固定するものが提案されている（例えば、特許文献１参照。）。
【０００４】
【特許文献１】
特開２００１−１９３３２６号公報（第１頁乃至第４頁、第１図、第５図）
【０００５】
【発明が解決しようとする課題】
かかる場合、デッドボルト固定用の錠前をサムターンと別個に装備すると、錠箱が大きくなり部品点数が多くなるので、サムターンを空転させる状態にすることで、防犯性を高めるものが提案されている。
【０００６】
しかしながら、図１２に示すように、サムターン錠２０におけるサムターン２１の外径形状が円形状であると、デッドボルト８が施錠状態にあるのか、解錠状態にあるのかが、目視によって直ちに判断できないと不都合である。そこで、施錠・解錠のいずれの状態になっているのかを示すインジケータ２２が必要であるが、非常時の場合に備えて、目視で直ちに理解されるような表示手段でなければならない。また、インジケータ２２を設けるに当たって、部品点数の増加を極力抑えるようにすることが必要である。本発明に係るサムターン錠は、このような課題を解決するために提案されたものである。
【０００７】
【課題を解決するための手段】
上記課題を解決するために、本発明に係るサムターン錠の要旨は、室内側でサムターンを操作してデッドボルトをドア側端面から出没させ施錠・解錠するためのサムターン錠において、円筒状の前記サムターンの内周壁面と、シリンダー錠の外筒の外周壁面との間に、前記サムターン錠の軸心廻りに回転自在な円筒状のインジケータが設けられ、該インジケータの前端面が外部に露出しているとともに、該前端面の一部に当該インジケータの回転を視認可能にする表示手段が設けられていることである。
【０００８】
また、表示手段が、周方向に１以上配置された切欠部であること、；
更に、前記インジケータは、外筒の外周壁面と前記インジケータの内周壁面との間に配設されてサムターンクラッチにより周方向に回動されるクラッチボールと、前記インジケータの内周壁面に設けられて前記クラッチボールの一部に嵌合する凹部とにより、周方向に回動されることを含むものである。
【０００９】
本発明に係るサムターン錠によれば、サムターンとシリンダー錠の外筒との間に配設された比較的大きなインジケータであるので、デッドボルトの施錠・解錠の状態を、容易に認識することができる。前記インジケータの表示手段が切欠部であるので、肉眼で認識しやすい。更に、インジケータは、クラッチボールを採用して、サムターンクラッチでのみ回動されて、外部からインジケータを回動させることのできない、不可逆構造部となっているので、防犯性に優れている。
【００１０】
【発明の実施の形態】
次に、本発明に係るサムターン錠１について、図面を参照して説明する。前記、サムターン錠１の構成は、図１乃至図２に示すように、このサムターン錠１の軸心ａを中心に回転する内筒２と、該内筒２を円筒状空間内に内包する外筒３とからなるシリンダー錠４と、該シリンダー錠４の前方側で回転自在に取り付けられるサムターン５と、前記シリンダー錠４の後部を収納して外筒３を支持するとともに、サムターン５が空転状態か否かのモードを変更するモード変更手段を収納するハウジング７と、前記モード変更手段の一部と係合して前記ハウジング７に回転自在に支持され、デッドボルト８の駆動部材に係合するドライバー９と、前記サムターン５の内側に設けられるインジケータ１０とから、概ね構成されている。なお、装飾リング２１は、ドアＡ（図１０参照）に取り付ける際の取付孔を塞ぐためのものである。
【００１１】
先に、前記インジケータ１０を回動させるための機構である、シリンダー錠４、サムターンクラッチ６等について説明する。前記シリンダー錠４は、図３に示すように、タンブラーピン２ａによる公知のものである。このシリンダー錠４は、例えば、キー溝１２ａにキー１２を差し込んで（同図（Ｂ））、約９０度回転させ（同図（Ｃ））、その位置でキー１２を引き抜く（同図（Ｄ））ものである。
【００１２】
また、前記内筒２の後端部には、半径方向において内筒外周面から先端部を突出させたピン２ｂが設けられている。このピン２ｂは、内筒２の回転とともに同方向に回転される。
【００１３】
前記ピン２ｂは、サムターンクラッチ６を前後方向に移動させるために設けられた駆動用のピンである。そのピン２ｂとサムターンクラッチ６との関係を、図２乃至図５を参照して説明する。サムターンクラッチ６は、図４に示すように、カム部材６ａとクラッチ本体６ｂとで成るものである。
【００１４】
前記カム部材６ａは、図５（Ａ）に示すように、円盤状の本体部６ｃと、該本体部６ｃの前側端面において周方向に傾斜している登り坂６ｄとこれに連なる平坦部６ｅを有する円弧状の突起部６ｆが、軸心ａを中心に対称配置にして設けられている。また、前記突起部６ｆ部の外周には、前後方向に突出させたガイド突起６ｇが各々設けられている。更に、前記突起部６ｆの周端部には、ピン２ｂ用のストッパー６ｈが設けられている。
【００１５】
前記ガイド突起６ｇが、図５（Ｂ），（Ｃ）に示すように、ハウジング７の内周壁面に設けられているガイド溝７ａに嵌合して、カム部材６ａが前後方向に移動するようにガイドし、且つ、軸心ａ廻りに回転しないようにしている。
【００１６】
前記クラッチ本体６ｂは、図４（Ａ），（Ｂ）に示すように、前記嵌合溝６ｇに対応する十字状の嵌合溝６ｈを有する円筒部６ｉと、該円筒部６ｉと一体に形成される円盤状の基部６ｊと、該基部６ｊの外周面から前方側に向けてクラッチ板６ｋが対称配置に２箇所突設されている。該クラッチ板６ｋに係合突起６ｍが前方に向けて突設され、更に前方にＵ字型の溝部６ｎが設けられている。
【００１７】
また、前記嵌合溝６ｈには、ハウジング７に回転自在に支持され十字状の係合部９ａを有するドライバー９（図６参照）が、嵌合する。そして、軸心ａ方向に沿ってサムターンクラッチ６が前記ドライバー９に対して前後方向にスライドする。該ドライバー９は、図６に示すように、前記係合部９ａと、円形の回転部９ｂと、デッドボルト用駆動部材（図示せず）に係合する十字状のドライブ部９ｃとを有して形成されている。
【００１８】
前記ドライバー９の係合部９ａに嵌合したサムターンクラッチ６は、図２に示すように、ハウジング７の内壁に反力をとるクラッチバネ１１により、常に前方に移動するように付勢されている。
【００１９】
前記内筒２とサムターンクラッチ６との関係において、図７（Ａ）に示すように、ピン２ｂがカム部材６ａの本体部６ｃの前面に当たっている状態の場合には、前記サムターンクラッチ６の係合突起６ｍが、前記クラッチバネ１１に付勢されて前方に移動され、サムターン５の後端部の係合凹部５ａに嵌合する。
【００２０】
この状態で、サムターン５を軸心ａ廻りに回転させると、前記サムターンクラッチ６とドライバー９とが共に回転せしめられ、これらを介してデッドボルト８がドアＡの側端面から出入没される。よって、施錠・解錠が可能となる。なお、サムターン５の周方向の位置によっては、前記係合凹部５ａと前記係合突起６ｍとが向き合っていないこともあるが、その場合には、このサムターン５が回転することで、嵌合する。
【００２１】
また、前記ピン２ｂによってカム部材６ａが後方に移動せしめられた場合には、図７（Ｂ）に示すように、サムターンクラッチ６ｂが後方に移動され、係合突起６ｍが前記係合凹部５ａから離隔する。よって、サムターン５とサムターンクラッチ６ｂとの係合関係が解除され、サムターン５が軸心ａの廻りに自由に空転する。
【００２２】
このように、サムターン５を空転させるか否かのモード変更手段は、シリンダー錠４と、該シリンダー錠４によって回転されるピン２ｂと、該ピン２ｂの回転によりサムターン錠１の軸心ａ方向において前後に移動されるサムターンクラッチ６とから構成されている。
【００２３】
前記サムターン５と、シリンダー錠４の外筒３との間には、図１乃至図２に示すように、比較的大きなリング状のインジケータ１０が収納されている。このインジケータ１０は、図８（Ａ），（Ｂ）に示すように、その前端面において、凹状の切欠部１０ａが対称位置に２箇所、設けられている。この切欠部１０ａが、デッドボルト８の施錠・解錠の状態を、在宅者に可視的に見やすくして知らせる表示手段となっている。
【００２４】
前記インジケータ１０が、サムターン５の軸心ａ廻りの回転操作によって、例えば、図１（Ｂ）に示すように、２箇所の切欠部１０ａが上下方向に在る状態がデッドボルト８の解錠状態を示し、前記２箇所の切欠部１０ａが左右方向になっていれば、デッドボルト８の施錠状態を示すものである。
【００２５】
前記インジケータ１０が、サムターン５によって回転される機構について説明する。図８（Ｃ）に示すように、このインジケータ１０の後端面側には、半球状の凹部１０ｂが対称に設けられている。この凹部１０ｂは、このインジケータ１０をクラッチボール１２によって回転させるための凹部である。
【００２６】
図４（Ｂ）と、図７とにおいて示すように、前記サムターンクラッチ６において、両クラッチ板６ｋを前方向に延在させた部分に設けられたＵ字型の溝部６ｎにおいて、外筒３の外周面に設けられた半球状の凹部３ａ（図２（Ｂ）〜（Ｅ）参照）と、インジケータ１０の凹部１０ｂとの間に、２個の前記クラッチボール１２が対称にして配設される。
【００２７】
前記クラッチボール１２の作用を説明する。図９（Ａ）に示すように、外筒３の凹部３ａとインジケータ１０の凹部１０ｂとが向き合い、その間において、サムターンクラッチ６のクラッチ板６ｋにおける溝部６ｎに、クラッチボール１２が収められている。この状態が、デッドボルト８が解錠されていて、サムターン５とサムターンクラッチ６とが係合して施錠・解錠できる基本状態である。
【００２８】
前記基本状態において、図９（Ｂ）に示すように、サムターン５を略９０度回転させると、サムターンクラッチ６も同方向に回転する。このとき、軸心ａを中心にクラッチ板６ｋが回転するので、溝部６ｎのクラッチボール１２が強制的に矢印で示す周方向に押される。すると、上方のクラッチボール１２は、凹部３ａから抜け出してインジケータ側の凹部１０ｂに嵌合すると共に、図９（Ｃ）に示すように、外筒３の外周面を転動する。
【００２９】
一方、下側のクラッチボール１２は、凹部１０ｂに落ち込んで収まっているが、前記クラッチ板６ｋの回転により、図９（Ｂ）に示すように、凹部１０ｂから抜け出し凹部３ａに嵌合して、更に、図９（Ｃ）に示すように、外筒３の外周面を転動する。
【００３０】
よって、クラッチ板６ｋが回転することで、２個の前記クラッチボール１２が外筒３の外周面を転動すると共に、インジケータ１０が軸心ａの廻りを回転する。そして、略９０度回転すると、クラッチボール１２が外筒３の凹部３ｂに各々至り、図９（Ａ）と対称にした状態となる。
【００３１】
こうして、図１０に示すように、サムターン錠１において、インジケータ１０の両切欠部１０ａが、解錠状態で上下方向に在り、施錠状態で左右方向に在ることになる。なお、サムターン５が、空転状態か否かは、シリンダー錠４のキー溝１２ａの状態を見れば判別できるものであり、例えば、図１０に示す、縦方向の状態がサムターン５によってデッドボルト８を施錠・解錠できる在宅モードであり、横方向の状態が、サムターン５が空転する就寝モードである。
【００３２】
インジケータとして従来よりも大きく目立つように配設した前記２箇所の切欠部１０ａであるが、更に、良く目立つように、この切欠部１０ａの部分に着色しても良いし、逆に、切欠部１０ａ以外の円弧状前端面の部分を着色しても良い。
【００３３】
前記インジケータ１０は、サムターンクラッチ６のクラッチ板６ｋの回転駆動で回転されるものであることから、このインジケータ１０を外部から特殊な工具などを使用し、不正操作してデッドボルト８を解錠させようとすることが考えられる。
【００３４】
しかし、この場合には、図１１（Ａ）に示すように、切欠部１０ａに工具の一部を係合させてインジケータ１０を軸心ａの廻りに回転させようとすると、図１１（Ｂ）に示すように、凹部１０ｂの角部１０がクラッチボール１２を半径方向に押しつけるようになり、かじりを生じる。よって、クラッチボール１２が外筒３の外周面を転動することが無く、サムターンクラッチ６を介してデッドボルト８が解錠されるおそれがない。
【００３５】
このようにして形成された本発明のサムターン錠１を、図１０に示すように、ドアＡに取り付けて使用すれば、例えば、日中の在宅モードにおいては、サムターン５によってデッドボルト８の施錠・解錠が可能であり、解錠状態では、図１０に示すように、インジケータ１０の切欠部１０ａが上下方向にある。また、施錠状態にすれば、切欠部１０ａが左右方向にある。
【００３６】
また、在宅時における就寝モードでは、先ず、サムターン５でデッドボルト８を突出させて施錠するので、前述したように両切欠部１０ａの並びが左右方向になる。そして、シリンダー錠４において、縦方向になっているキー溝１２ａにキー１２を差し込んで、内筒２を略９０゜回転させ、ピン２ｂによりカム部材６ａを介してサムターンクラッチ６を後方に移動させて、サムターン５との係合を解除し、サムターン５を空転状態にするので、キー溝１２ａが横方向になる。
外出するときには、サムターン５を空転状態にして、ドアＡの外側から施錠するものである。
【００３７】
このようにして、インジケータ１０の表示手段である切欠部１０ａの位置により、サムターン錠１の施錠・解錠の状態が視認されるものである。
【００３８】
【発明の効果】
上記説明したように、本発明に係るサムターン錠は、室内側でサムターンを操作してデッドボルトをドア側端面から出没させ施錠・解錠するためのサムターン錠において、円筒状の前記サムターンの内周壁面と、シリンダー錠の外筒の外周壁面との間に、前記サムターン錠の軸心廻りに回転自在な円筒状のインジケータが設けられ、該インジケータの前端面が外部に露出しているとともに、該前端面の一部に当該インジケータの回転を視認可能にする表示手段が設けられているので、在宅者に視認しやすいインジケータとなり、緊急時においてもわかりやすい操作が確保されると言う優れた効果を奏するものである。
【００３９】
前記表示手段が、周方向に１以上配置された切欠部であるので、肉眼で視認しやすい。更に、前記インジケータは、外筒の外周壁面と前記インジケータの内周壁面との間に配設されてサムターンクラッチにより周方向に回動されるクラッチボールと、前記インジケータの内周壁面に設けられて前記クラッチボールの一部に嵌合する凹部とにより、周方向に回動されるので、外部からの不正な操作を防止して、防犯性の高いサムターン錠となると言う優れた効果を奏するものである。また、インジケータがクラッチボールにより、不可逆的に回転されるように構成されていて、部品点数が少なくコスト低減となる。
【図面の簡単な説明】
【図１】本発明に係るサムターン錠１の、側面図（Ａ）、正面図（Ｂ）、背面図（Ｃ）図である。
【図２】同本発明に係るサムターン錠１の、上半分を断面にして示す正面図（Ａ）、外筒の平面図（Ｂ）、外筒の正面図（Ｃ）、同側面図（Ｄ）、同Ｃ−Ｃ線に沿った断面図（Ｅ）である。
【図３】同本発明に係るサムターン錠１における、シリンダー錠４の構成を示す断面図（Ａ）、このシリンダー錠４にキー１２を差し込んだ状態の断面図（Ｂ）、キー１２で略９０度回転させた状態の一部断面図（Ｃ）、キー１２を抜いた状態の断面図（Ｄ）である。
【図４】サムターンクラッチ６の斜視図（Ａ）、該サムターンクラッチ６とインジケータ１０とクラッチボール１２との配置関係を概略的に示す斜視図（Ｂ）である。
【図５】内筒２とカム部材６ａとの組立斜視図（Ａ）、ハウジング７にカム部材６ａを収納した状態の側面図（Ｂ）、断面図（Ｃ）である。
【図６】ドライバー９の斜視図である。
【図７】サムターン錠１のサムターン５によって、施錠・解錠できる状態の断面図（Ａ）と、同サムターン５が空転状態の断面図（Ｂ）である。
【図８】サムターン錠１のインジケータ１０の正面図（Ａ）、断面図（Ｂ）、背面図（Ｃ）である。
【図９】インジケータ１０の回動状態を説明する説明図（Ａ），（Ｂ），（Ｃ）である。
【図１０】サムターン錠１の使用状態を示す説明図である。
【図１１】インジケータ１０による不正操作ができないことを示す説明図（Ａ）、（Ｂ）である。
【図１２】従来のサムターン錠２０をドアＡに取り付けた状態の一部斜視図である。
【符号の説明】
１　　　　サムターン錠、　　　　　　２　　　　　　内筒、
２ａ　　　タンブラーピン、　　　　　２ｂ　　　　　ピン、
３　　　　外筒、　　　　　　　　　　３ａ　　　　　凹部、
３ｂ　　　凹部、　　　　　　　　　　４　　　　　　シリンダー錠、
５　　　　サムターン、　　　　　　　５ａ　　　　　係合凹部、
６　　　　サムターンクラッチ、　　　６ａ　　　　　カム部材、
６ｃ　　　本体部、　　　　　　　　　６ｄ　　　　　登り坂、
６ｅ　　　平坦部、　　　　　　　　　６ｆ　　　　　突起部、
６ｇ　　　嵌合溝、　　　　　　　　　６ｈ　　　　　　　　　　嵌合溝、
６ｉ　　　円筒部、　　　　　　　　　６ｊ　　　　　基部、
６ｋ　　　クラッチ板、　　　　　　　６ｍ　　　　　係合突起、
６ｎ　　　溝部、　　　　　　　　　　７　　　　　　ハウジング、
７ａ　　　ガイド溝、　　　　　　　　８　　　　　　デッドボルト、
９　　　　ドライバー、　　　　　　　１０　　　　　インジケータ、
１０ａ　　切欠部、　　　　　　　　　１０ｂ　　　　凹部、
１１　　　クラッチバネ、　　　　　　１２　　　　　クラッチボール、
１３　　　コイルスプリング、　　　　１４　　　　　クラッチボール、
１５　　　サムターンクラッチ、　　　１５ａ　　　　本体部、
１５ｂ　　登り坂、　　　　　　　　　１５ｃ　　　　平坦部、
１５ｄ　　突起部、　　　　　　　　　１５ｅ　　　　円筒部、
１５ｆ　　嵌合溝、　　　　　　　　　１５ｇ　　　　クラッチ板、
１５ｈ　　係合突起、　　　　　　　　１５ｉ　　　　係止部、
２１　　　装飾リング。
【図１】
2004132012.tif 000003
【図２】
2004132012.tif 000004
【図３】
2004132012.tif 000005
【図４】
2004132012.tif 000006
【図５】
2004132012.tif 000007
【図６】
2004132012.tif 000008
【図７】
2004132012.tif 000009
【図８】
2004132012.tif 000010
【図９】
2004132012.tif 000011
【図１０】
2004132012.tif 000012
【図１１】
2004132012.tif 000013
【図１２】
2004132012.tif 000014